(57)【要約】【課題】  本発明は、電子閃光装置の発光をモニタする受光装置において、測光開始時の検出応答性を励起動作によって改善しつつ、この励起動作に伴う検出誤差を低減する技術を提供する。【解決手段】  本発明は、電子閃光装置の発光をモニタするための受光装置であって、受光素子、検出部、励起部、および補償回路を備える。この受光素子は、光を光電変換する。検出部は、受光素子の光電出力を検出して、積算光量を求める。励起部は、この検出部を励起することより検出部の動作点を設定し、検出部が光電出力を検出する際の応答性を改善する。補償回路は、励起部の励起により検出部に生じる光電出力の検出誤差を求め、積算光量から検出誤差をキャンセルする。【選択図】      図３
2005077938.tif 000002
【特許請求の範囲】
【請求項１】
電子閃光装置の発光をモニタするための受光装置であって、
光を光電変換する受光素子と、
前記受光素子の光電出力を検出して、積算光量を求める検出部と、
前記検出部を励起することより、前記検出部が前記光電出力を検出する際の応答性を改善する励起部と、
前記励起部の励起により前記検出部に生じる前記光電出力の検出誤差を求め、前記積算光量から前記検出誤差をキャンセルする補償回路と
を備えたことを特徴とする受光装置。
【請求項２】
請求項１に記載の受光装置において、
［ａ］前記受光素子の一端には、定電圧Ａが印加され、
［ｂ］前記検出部は、
前記受光素子の端子間電圧を増幅出力する差動アンプと、
『前記受光素子の他端』と『前記差動アンプの出力』との間に順方向接続される対数圧縮用ダイオードと、
コレクタ、前記差動アンプの出力が接続されるエミッタ、および定電圧Ｂが印加されるベースを備えた対数伸張用トランジスタと、
前記対数伸張用トランジスタのコレクタ電流を積分し、その積分値を積算光量として出力する電流積分回路とを有し、
［ｃ］前記励起部は、
前記対数圧縮用ダイオードに順方向の励起電流を流す電流源であり、
［ｄ］前記補償回路は、
前記励起電流により生じる前記コレクタ電流の変化分を前記検出誤差として求め、前記電流積分回路の積算光量から前記検出誤差をキャンセルする
ことを特徴とする受光装置。
【請求項３】
請求項２に記載の受光装置において、
前記補償回路は、
前記励起電流と等しい等価電流を入力して、前記コレクタ電流の前記変化分と等しい補償電流を生成するダミー回路と、
前記コレクタ電流から前記補償電流を減算し、減算後の前記コレクタ電流を前記電流積分回路に入力する電流減算回路とを有する
ことを特徴とする受光装置。
【請求項４】
請求項３に記載の受光回路において、
前記電流積分回路が前記コレクタ電流を積分している期間中、前記対数圧縮用ダイオードに供給する前記励起電流を遮断する第１遮断回路と、
前記第１遮断回路の遮断期間に同期して、前記ダミー回路に入力する前記等価電流を遮断する第２遮断回路と
を備えたことを特徴とする受光装置。
【請求項５】
請求項１ないし請求項４のいずれか１項に記載の受光装置と、
被写体像を撮像する撮像部と、
閃光撮影用の電子閃光装置に対して、調光制御用の信号を与える調光制御部とを備え、
前記受光装置は、前記電子閃光装置の予備発光（撮像前の発光）をモニタして積算光量を出力し、
前記調光制御部は、前記予備発光の積算光量に基づいて本発光（撮像期間中の発光）の発光量を決定し、決定した発光量だけ前記電子閃光装置を本発光させる信号を前記電子閃光装置に与える
ことを特徴とするカメラ。
【発明の詳細な説明】
【技術分野】
【０００１】
本発明は、カメラの閃光撮影に際して、電子閃光装置の発光をモニタする受光装置に関する。
また、本発明は、この受光装置を搭載するカメラに関する。
【背景技術】
【０００２】
従来、カメラには、電子閃光装置のＴＴＬ（Through The Lens）調光用に、受光装置が搭載される。この種の受光装置は、カメラの撮像面またはシャッタ面の明るさを検出することによって、電子閃光装置の発光をモニタする。
最近では、撮像面またはシャッタ面を複数領域に分け、これら領域ごとに明るさを測光する分割測光タイプの受光装置も知られている（特許文献１など）。
【０００３】
図５は、従来の受光装置の基本回路部分を示す図である。
以下、図５を参照しながら、この従来回路の動作を説明する。
まず、測光を開始する前に、デコーダー６０はスイッチ素子Ｑ６９およびスイッチ素子Ｑ６１を導通状態に保つ。このスイッチ素子Ｑ６９の導通により、コンデンサＣ６８の蓄積電荷はリセットされる。
【０００４】
一方、スイッチ素子Ｑ６１の導通により、電流源Ｓ６２から出力された励起電流は、対数圧縮用ダイオードＤ６４に流れる。この励起電流により、対数圧縮用ダイオードＤ６４の寄生容量は予め充電される。
【０００５】
続いて、測光を開始すると、デコーダー６０は、スイッチ素子Ｑ６９およびスイッチ素子Ｑ６１を遮断する。このスイッチ素子Ｑ６９の遮断により、コンデンサＣ６８は、積算光量に該当する電荷蓄積を開始する。一方、スイッチ素子Ｑ６１の遮断により、電流源Ｓ６２による励起電流の供給が停止する。
【０００６】
この状態で、ホトダイオードＰＤに光が当たると、ホトダイオードＰＤの受光面に電子−ホール対が発生する。ホトダイオードＰＤの両端電圧は、差動アンプＯＰ６５の負帰還動作により、イマジナリショートに維持される。
そのため、ホトダイオードＰＤに発生した電子−ホール対は、素子内部に蓄積されず、光電流として外部に流れ出す。
この光電流は、対数圧縮用ダイオードＤ６４を順方向に流れる。このとき、対数圧縮用ダイオードＤ６４の両端には、光電流を対数圧縮した順方向電圧が発生する。その結果、差動アンプＯＰ６５からは、正側入力の定電圧（図５に示すＡ）から、光電流の対数圧縮分だけ電圧降下した出力電圧が出力される。
通常、対数圧縮用ダイオードＤ６４は寄生容量を有するため、この寄生容量が充電されるまでの期間だけ、光電流の検出が遅延する。しかしながら、上述した励起電流により、寄生容量は測光開始前に予め充電されるため、光電流の検出応答性が向上する。
【０００７】
差動アンプＯＰ６５の出力電圧は、トランジスタＱ６６のエミッタに印加される。このトランジスタＱ６６のベースには定電圧（図５に示すＢ）が印加される。
ここで、定電圧Ｂと定電圧Ａが略等しければ、トランジスタＱ６６のベース・エミッタ間には、光電流の対数圧縮分に相当する電圧が印加される。そのため、トランジスタＱ６６のコレクタには、トランジスタＱ６６の対数伸張作用により、光電流とほぼ等しい電流が流れる。その結果、コレクタ電流の通過するコンデンサＣ６８には、光電流を電流積分した電圧が発生する。
【０００８】
また、定電圧Ｂと定電圧Ａを僅かにずらした場合、トランジスタＱ６６のベース・エミッタ間には、（光電流の対数圧縮分＋定電圧Ｂ−定電圧Ａ）に相当する電圧が印加される。そのため、トランジスタＱ６６のコレクタには、トランジスタＱ６６の対数伸張作用によって、光電流に比例した電流（電圧差Ｂ−Ａに対応する係数倍した電流）が流れる。その結果、コレクタ電流の通過するコンデンサＣ６８には、光電流を係数倍して電流積分した電圧が発生する。
このようにして、コンデンサＣ６８に発生した電圧は、積算光量の測光結果としてカメラ側へ伝達される。
【特許文献１】特開平６−６７２５７号公報（図２，図３，および図４など）
【発明の開示】
【発明が解決しようとする課題】
【０００９】
ところで、上述した従来回路では、測光開始の直前までスイッチ素子Ｑ６１を導通させて、対数圧縮用ダイオードＤ６４に励起電流を流す。この励起電流により、対数圧縮用ダイオードＤ６４の寄生容量は所定の動作点まで充電され、光電流の検出応答性が向上する。
【００１０】
一方、測光開始後は、コンデンサＣ６８に光電流のみを流すため、この励起電流は遮断される。この励起電流の遮断に伴って、寄生容量の蓄積電荷は過渡的に流れ出し、ダイオードＤ６４を流れる光電流は見かけ上増加する。
そのため、この過渡電流分だけ積算光量の値は実際よりも大きくなってしまう。
このような積算光量の検出誤差は、光電流が小さいケースほど影響が大きい。例えば、ガイドナンバーの小さな電子閃光装置（特にカメラ内蔵型）の発光量をモニタするケースや、距離の離れた被写体から戻る微小な閃光をモニタするケースにおいて、この受光装置の検出誤差は無視できなくなる。
【００１１】
また、最近のカメラでは、閃光撮影に先だって予備発光を実施するものも多い。この予備発光では、後続する本発光のエネルギーを充分確保するため、微小光量に制御される。そのため、予備発光を受光した際の光電流は極端に小さく、上述した検出誤差による調光精度の低下が顕著となる。
このような事情から、従来の受光装置では、光電流の検出応答性を改善するため励起電流を増大させたいという要求がある一方、検出誤差を低減するため励起電流を抑制したいという要求があった。これら二つの相反するバランスをとる必要があり、受光装置の性能を根本的に高めることが困難であった。
【００１２】
そこで、本発明は、電子閃光装置の発光をモニタする受光装置において、測光開始時の検出応答性を励起動作によって改善しつつ、同時に励起動作に伴う検出誤差を低減する技術を提供する。
【課題を解決するための手段】
【００１３】
以下、本発明について説明する。
《請求項１》
請求項１に記載の発明は、電子閃光装置の発光をモニタするための受光装置であって、受光素子、検出部、励起部、および補償回路を備える。
この受光素子は、光を光電変換する。検出部は、受光素子の光電出力を検出して、積算光量を求める。励起部は、この検出部を励起することより、検出部が光電出力を検出する際の応答性を改善する。補償回路は、励起部の励起により検出部に生じる光電出力の検出誤差を求め、積算光量から検出誤差をキャンセルする。
【００１４】
《請求項２》
請求項２に記載の発明は、請求項１に記載の受光装置を次のように構成する。
［ａ］受光素子の一端には、定電圧Ａが印加される。
［ｂ］検出部は、次の構成を備える。
（１）受光素子の端子間電圧を増幅出力する差動アンプ。
（２）受光素子の他端と、差動アンプの出力との間には、対数圧縮用ダイオードが接続される。この対数圧縮用ダイオードの向きは、受光素子の光電流を順方向に流す向きである。
（３）コレクタ、エミッタ、およびベースを備えた対数伸張用トランジスタ。エミッタは差動アンプの出力に接続される。ベースは定電圧Ｂが印加される。
（４）対数伸張用トランジスタのコレクタ電流を積分し、その積分値を積算光量として出力する電流積分回路。
［ｃ］励起部は、対数圧縮用ダイオードに対して順方向に励起電流を流す電流源である。
［ｄ］補償回路は、励起電流により生じるコレクタ電流の変化分を検出誤差として求め、電流積分回路の積算光量から検出誤差をキャンセルする。
【００１５】
《請求項３》
請求項３に記載の発明は、請求項２に記載の受光装置において、補償回路が、ダミー回路および電流減算回路を有する。
このダミー回路は、励起電流と等しい等価電流を入力して、コレクタ電流の変化分と等しい補償電流を生成する。
一方、電流減算回路は、コレクタ電流から補償電流を減算し、減算後のコレクタ電流を電流積分回路に入力する。
【００１６】
《請求項４》
請求項４に記載の発明は、請求項３に記載の受光回路において、第１遮断回路および第２遮断回路を更に備える。
この第１遮断回路は、電流積分回路がコレクタ電流を積分している期間中、対数圧縮用ダイオードに供給する励起電流を遮断する。
一方、第２遮断回路は、第１遮断回路の遮断期間に同期して、ダミー回路に入力する等価電流を遮断する。
【００１７】
《請求項５》
請求項５に記載のカメラは、請求項１ないし請求項４のいずれか１項に記載の受光装置と、被写体像を撮像する撮像部と、閃光撮影用の電子閃光装置に対して、調光制御用の信号を与える調光制御部とを備える。
この受光装置は、電子閃光装置の予備発光（撮像前の発光）をモニタして積算光量を出力する。
調光制御部は、予備発光の積算光量に基づいて本発光（撮像期間中の発光）の発光量を決定し、決定した発光量だけ電子閃光装置を本発光させる信号を電子閃光装置に与える。
【発明の効果】
【００１８】
本発明の受光装置は、補償回路を備える。この補償回路は、検出部の励起によって生じる光電出力の検出誤差を求め、積算光量から検出誤差分をキャンセルする。したがって、この補償回路の働きによって、励起に伴う検出誤差を確実に改善することができる。
【００１９】
特に、本発明の適用よって、予備発光などの微小発光を高精度に測光することが可能になる。その結果、予備発光などを実施するカメラの調光性能を格段に高め、高精度に調光制御された閃光撮影が実現可能になる。
さらに、本発明では、励起に伴う検出誤差を適切に解消できるため、従来のように励起を控える必要がなくなる。その結果、励起を強めて検出部の検出応答性を更に改善するなど、受光装置の性能を根本的に改善することが可能になる。
【発明を実施するための最良の形態】
【００２０】
以下、図面に基づいて本発明にかかる実施形態を説明する。
《第１の実施形態》
図１は、受光装置１０１を備えたカメラ１１の構成を示す図である。
図１において、カメラ１１には、撮影レンズ１２および電子閃光装置２１が装着される。この撮影レンズ１２の像空間には、ファインダー側に光路を屈曲するクイックリターンミラー１３、シャッタ１４、および撮像素子１５が設置される。このシャッタ１４のシャッタ面を見渡す位置に、受光装置１０１が設置される。
【００２１】
［閃光撮影の動作説明］
まず、閃光撮影の動作シーケンスについて概略説明する。
閃光撮影時、カメラ１１は、まず、クイックリターンミラー１３を跳ね上げ、電子閃光装置２１に予備発光を指示する。撮影レンズ１２は、この予備発光に照射された被写体の光像を、シャッタ１４の幕面上に被写体像を形成する。
【００２２】
受光装置１０１は、このシャッタ１４の幕面上の明るさを、図２に示すような複数の受光エリアに分けて分割測光する。
一方、電子閃光装置２１側では、閃光管が照射する予備発光の一部を直に検出することによって、予備発光の発光量（被写体に送出した光量）を検出する。
カメラ１１は、予備発光期の分割測光結果に基づいて、被写界の反射率分布などを考慮した上で、本発光の適正光量を決定する。カメラ１１は、この本発光の適正光量（予備発光量の何倍かなど）を電子閃光装置２１側に情報伝達する。
【００２３】
予備発光の後、カメラ１１はシャッタ１４を開く。シャッタ１４が全開した直後、カメラ１１は、電子閃光装置２１に本発光の開始信号を送出する。電子閃光装置２１は、閃光管の本発光の一部を監視し、本発光の発光量が適正光量に一致するタイミングで、閃光管の発光を停止させる。
このような手順で本発光を行うことにより、撮像素子１５の撮像面には、適正光量で照明された被写体像が投影される。
その後、所定の露光時間を経過した時点で、カメラ１１は、シャッタ１４を閉じ、撮像素子１５から画像信号を読み出して記録保存する。
【００２４】
［受光装置１０１の回路説明］
続いて、本発明の特徴である受光装置１０１の回路について説明する。
図３は、受光装置１０１の回路構成を説明する図である。
受光装置１０１の受光面は、分割測光の受光エリアに形を合わせて区切られ、複数のホトダイオードＰＤが形成される。これらホトダイオードＰＤ別にピックアップ回路Ｕ１〜Ｕ５が設けられる。
【００２５】
これらピックアップ回路Ｕ１〜Ｕ５において、ホトダイオードＰＤのカソードは、差動アンプＯＰ２の正側入力に接続される。このカソードは、電圧源Ｅ１により定電圧Ａが印加される。一方、ホトダイオードＰＤのアノードは、オペアンプＯＰ２の正側入力、ダイオードＤ２のアノード、および励起電流ｉｅを供給する電流源Ｓ２に接続される。ダイオードＤ２のカソードは、差動アンプＯＰ２の出力に接続される。
【００２６】
差動アンプＯＰ２の出力は、トランジスタＱ１，Ｑ６のエミッタにそれぞれ接続される。これらトランジスタＱ１，Ｑ６のベースには、ボルテージホロワＯＰ３を介して、定電圧Ｂが印加される。なお、この定電圧Ｂの値は、マルチプレクサＭ２を介して、ピックアップ回路Ｕ１〜Ｕ５ごとに個別に設定が可能である。
トランジスタＱ１のコレクタは、電流積分用のコンデンサＣ１に接続される。このコンデンサＣ１には、蓄積電荷をリセットするスイッチ素子Ｑ２が接続される。このスイッチ素子Ｑ２は、デコーダーＭ１によって開閉制御される。
【００２７】
このコンデンサＣ１には、受光エリア個別の積算光量が、電流積分結果として蓄積される。この受光エリア個別の積算光量は、マルチプレクサＭ３を介して、受光エリアごとに選択されて、カメラ１１側へ伝達される。
一方、トランジスタＱ６のコレクタは、ピックアップ回路Ｕ１〜Ｕ５間で共通結線された後、電流積分用のコンデンサＣ２に接続される。このコンデンサＣ２には、蓄積電荷をリセットするスイッチ素子Ｑ１０が接続される。このスイッチ素子Ｑ１０は、デコーダーＭ１によって開閉制御される。
【００２８】
このコンデンサＣ２には、各受光エリアの測光結果を所望比率で重み付け加算した総合的な測光結果が、電流積分結果として蓄積される。この所望比率は、定電圧Ｂ（トランジスタＱ１，Ｑ６のベース電圧）をカメラ１１側からピックアップ回路Ｕ１〜Ｕ５別に設定することによって調整可能である。
このコンデンサＣ２の電流積分結果は、コンパレータＯＰ４によって電圧源Ｅ３と閾値比較される。その比較結果は、アンドゲートＭ４を介して、発光停止信号ＳＴとして電子閃光装置２１側へ出力される。
【００２９】
さらに、受光装置１０１には、図３中に点線で囲った補償回路ＣＣが追加される。以下、この補償回路ＣＣの回路構成について説明する。
まず、補償回路ＣＣには、差動アンプＯＰ１が設けられる。この差動アンプＯＰ１の正側入力には、定電圧Ａが印加される。一方、差動アンプＯＰ１の負側入力には、ダイオードＤ１のアノード、および電流源Ｓ１が接続される。このダイオードＤ１のカソードは、差動アンプＯＰ１の出力に接続される。
【００３０】
このダイオードＤ１は、上述した対数圧縮用のダイオードＤ２の等価部品であり、互いの電流電圧特性は等しい。さらに、ダイオードＤ１とダイオードＤ２は、互いの温度が等しくなるよう、近接して配置することが好ましい。
一方、電流源Ｓ１は、電流源Ｓ２とカレントミラー回路などを構成する回路であり、上述した励起電流ｉｅと等しい等価電流ｉｑをダイオードＤ１に供給する。
【００３１】
このような差動アンプＯＰ１の出力は、トランジスタＱ５，Ｑ７のエミッタにそれぞれ接続される。このトランジスタＱ５は、上述した対数伸張用トランジスタＱ１の等価部品である。一方、トランジスタＱ７は、上述した対数伸張用トランジスタＱ６の等価部品である。これらのトランジスタは、互いの温度が等しくなるよう、近接して配置することが好ましい。また、トランジスタＱ５，Ｑ７のベースには、ボルテージホロワＯＰ３を介して、定電圧Ｂが印加される。
【００３２】
トランジスタＱ５のコレクタには、トランジスタＱ３，Ｑ４からなるカレントミラー回路が設けられる。このカレントミラー回路により、トランジスタＱ５のコレクタ電流（補償電流）と等しい電流が、トランジスタＱ１のコレクタに供給される。
一方、トランジスタＱ７のコレクタには、トランジスタＱ８，Ｑ９からなるカレントミラー回路が設けられる。このカレントミラー回路により、トランジスタＱ７のコレクタ電流（補償電流）と等しい電流が、トランジスタＱ６のコレクタに供給される。
なお、上記のトランジスタＱ７，Ｑ８を省いて、トランジスタＱ９のベースをトランジスタＱ３のベースに直に接続してもかまわない。
【００３３】
［発明との対応関係］
次に、発明と本実施形態との対応関係について説明する。なお、ここでの対応関係は、参考のために一解釈を例示するものであり、本発明を徒らに限定するものではない。
請求項記載の受光素子は、ホトダイオードＰＤに対応する。
請求項記載の検出部は、差動アンプＯＰ２、ダイオードＤ２、トランジスタＱ１、コンデンサＣ１、トランジスタＱ６、スイッチ素子Ｑ２、コンデンサＣ２、およびスイッチ素子Ｑ１０に対応する。
請求項記載の励起部は、電流源Ｓ２に対応する。
請求項記載の補償回路は、電流源Ｓ１、差動アンプＯＰ１、ダイオードＤ１、およびトランジスタＱ３〜Ｑ５，Ｑ７〜Ｑ９に対応する。
請求項記載の差動アンプは、差動アンプＯＰ２に対応する。
請求項記載の対数圧縮用ダイオードは、ダイオードＤ２に対応する。
請求項記載の対数伸張用トランジスタは、トランジスタＱ１，Ｑ６に対応する。
請求項記載の電流積分回路は、コンデンサＣ１，Ｃ２、およびスイッチ素子Ｑ２，Ｑ１０に対応する。
請求項記載のダミー回路は、差動アンプＯＰ１、ダイオードＤ１、およびトランジスタＱ５，Ｑ７に対応する。
請求項記載の電流減算回路は、トランジスタＱ３，Ｑ４，Ｑ８，Ｑ９に対応する。
【００３４】
［本実施形態の動作説明］
次に、受光装置１０１の回路動作について説明する。
まず、受光装置１０１の測光開始前、カメラ１１は、デコーダーＭ１によってスイッチ素子Ｑ２，Ｑ１０を導通状態に保つ。その結果、コンデンサＣ１，Ｃ２の蓄積電荷はリセットされる。
この状態で、電流源Ｓ２は、励起電流ｉｅをダイオードＤ２に供給する。この励起電流ｉｅは、ダイオードＤ２の寄生容量を、測光開始前に所定の動作点まで充電する。そのため、測光開始後に光電流が寄生容量を充電するまでの遅れ時間を短縮し、光電流の検出応答性が向上する。
【００３５】
次に、受光装置１０１の測光開始（予備発光の開始直前）に際し、カメラ１１は、デコーダーＭ１を介してスイッチ素子Ｑ２，Ｑ１０を遮断する。
この状態で、ホトダイオードＰＤに光が当たると、光電流が発生する。この光電流は、励起電流ｉｅと一緒にダイオードＤ２を流れる。その結果、差動アンプＯＰ２の出力には、正側入力の定電圧Ａから、（光電流＋励起電流ｉｅ）の対数圧縮分だけ電圧降下した出力電圧が現れる。
【００３６】
この出力電圧は、トランジスタＱ１，Ｑ６のエミッタに印加される。その結果、トランジスタＱ１，Ｑ６のベース・エミッタ間電圧Ｖｂｅは、
Ｖｂｅ＝（光電流＋励起電流ｉｅ）の対数圧縮分＋（定電圧Ｂ−定電圧Ａ）
となる。その結果、トランジスタＱ１，Ｑ６のコレクタ電流ｉｃは、
ｉｃ＝Ｋ×（光電流＋励起電流ｉｅ）
となる。ただし、Ｋは、電圧差（Ｂ−Ａ）に対応する係数値である。
【００３７】
一方、補償回路ＣＣ側では、等価電流ｉｑ（＝ｉｅ）がダイオードＤ１を流れる。その結果、差動アンプＯＰ１の出力には、正側入力の定電圧Ａから、励起電流ｉｅの対数圧縮分だけ電圧降下した出力電圧が現れる。
この出力電圧は、トランジスタＱ５，Ｑ７のエミッタに印加される。その結果、トランジスタＱ５，Ｑ７のベース・エミッタ間電圧Ｖｂｅ′は、
Ｖｂｅ′＝励起電流ｉｅの対数圧縮分＋（定電圧Ｂ−定電圧Ａ）
となる。その結果、トランジスタＱ５，Ｑ７のコレクタ電流ｉｃ′は、
ｉｃ′＝Ｋ×励起電流ｉｅ
となる。
【００３８】
このコレクタ電流ｉｃ′は、カレントミラー回路（トランジスタＱ３，Ｑ４，Ｑ８，Ｑ９）を介して、トランジスタＱ１，Ｑ６のコレクタにバイパス供給される。その結果、コンデンサＣ１，Ｃ２に流れる電流は、
ｉｃ−ｉｃ′＝Ｋ×光電流
となる。したがって、コンデンサＣ１，Ｃ２の端子間電圧には、励起電流ｉｅによる検出誤差分がキャンセルされ、光電流の電流積分結果（真の積算光量）が現れる。その結果、受光装置１０１の測光精度は、一段と高くなる。
次に、別の実施形態について説明する。
【００３９】
《第２の実施形態》
第２の実施形態は、第１の実施形態の受光装置１０１に代えて、図４に示す受光装置１０２をカメラ１１に配置したものである。そのため、受光装置１０１と同一構成については説明を省略する。
この受光装置１０２の主な特徴は、次の点である。
【００４０】
（１）電流源Ｓ２による励起電流ｉｅを遮断するスイッチ素子Ｑ２０を設けている。
（２）電流源Ｓ１による等価電流ｉｑを遮断するスイッチ素子Ｑ２１を設けている。
（３）カメラ１１は、デコーダーＭ１を介して、測光開始前までスイッチ素子Ｑ２０，Ｑ２１を導通させる。一方、カメラ１１は、デコーダーＭ１を介して、測光期間中、スイッチ素子Ｑ２０，Ｑ２１を遮断する。
【００４１】
この場合、ダイオードＤ２およびトランジスタＱ１には、スイッチ素子Ｑ２０の遮断動作に伴って過渡電流が流れる。例えば、この過渡電流は、ダイオードＤ２の寄生容量や、トランジスタＱ１の寄生容量によって発生する。
一方、ダイオードＤ１およびトランジスタＱ５にも、スイッチ素子Ｑ２１の遮断動作に伴って過渡電流が流れる。この過渡電流が、カレントミラー回路（Ｑ４，Ｑ３）を介して、トランジスタＱ１のコレクタに供給される。その結果、トランジスタＱ１のコレクタ電流に含まれる過渡電流は同相除去される。
したがって、コンデンサＣ１の端子間電圧には、励起電流ｉｅの遮断に伴う検出誤差分がキャンセルされ、光電流の電流積分結果（真の積算光量）が現れる。その結果、受光装置１０２の測光精度は、一段と高くなる。
【００４２】
なお、第２の実施形態では、トランジスタＱ６側の補償回路を省略している。これは、トランジスタＱ６側が本発光の測光用途で主に使用されるため、上述した過渡電流による検出誤差が無視できる程度に収まるためである。
上述した動作により、第２の実施形態では、測光期間中に励起電流ｉｅを流さない。したがって、受光装置１０２のダイナミックレンジを、励起電流ｉｅを流さない分だけ拡大することができる。
【００４３】
また、測光期間中に励起電流ｉｅを流さないことにより、ダイオードＤ２の動作点は低電流側に移動する。その結果、動作点近傍における対数圧縮カーブの傾きが急になる。すなわち、光電流の検出初段のゲインを高くすることに等しく、受光装置１０２の回路内で混入するノイズの影響を抑えることが可能になる。したがって、受光装置１０２は、予備発光のように微小な光電流に対する測光精度を特に高めることが可能になる。
【００４４】
《実施形態の補足事項》
なお、上述した実施形態では、電子カメラに設置する受光装置について説明した。しかしながら、本発明の受光装置を銀塩カメラなどに設置してもよい。
【００４５】
また、上述した実施形態では、ＴＴＬ調光に使用する受光装置について説明した。しかしながら、本発明の受光装置は、ＴＴＬ調光の用途に限定されるものではない。例えば、本発明の受光装置を、カメラ筐体や電子閃光装置やその接続アクセサリーなどに設置してもよい。
【００４６】
なお、本発明の受光素子やダイオードやトランジスタなどは、必ずしもその部品に限定されるものではない。これら部品の代わりに、同一機能を有する等価回路や部品を使用してもよい。
【産業上の利用可能性】
【００４７】
以上説明したように、本発明の利用により、例えば、電子閃光装置の予備発光をモニタする用途に適した受光装置が実現する。
【図面の簡単な説明】
【００４８】
【図１】受光装置１０１を備えたカメラ１１の構成を示す図である。
【図２】受光装置１０１がシャッタ面（または撮像面）の明るさを検出する様子を示す図である。
【図３】受光装置１０１の回路構成を示す図である。
【図４】受光装置１０２の回路構成を示す図である。
【図５】従来の受光装置の基本回路部分を示す図である。
【符号の説明】
【００４９】
Ｄ１，Ｄ２  ダイオード
Ｓ１，Ｓ２  電流源
ＯＰ１，ＯＰ２  差動アンプ
ＣＣ  補償回路
Ｑ２，Ｑ１０  スイッチ素子
Ｑ１，Ｑ３，Ｑ４〜Ｑ９  トランジスタ
Ｕ１〜Ｕ５  ピックアップ回路
ＰＤ  ホトダイオード
１１  カメラ
１２  撮影レンズ
１３  クイックリターンミラー
１４  シャッタ
１５  撮像素子
２１  電子閃光装置
１０１，１０２  受光装置
【図１】
2005077938.tif 000003
【図２】
2005077938.tif 000004
【図３】
2005077938.tif 000005
【図４】
2005077938.tif 000006
【図５】
2005077938.tif 000007